(57)【要約】【解決手段】  本発明は、ａ）４５〜５５重量％のアルカリ金属酢酸塩、ｂ）０．００１〜１重量％の界面活性剤、ｃ）０．０００１〜１重量％の消泡剤および０．００１〜１重量％の腐食防止剤および全部で１００重量％とする残量の水を含有する除氷剤に関する。【特許請求の範囲】
【請求項１】
ａ）４５〜５５重量％のアルカリ金属酢酸塩、
ｂ）０．００１〜１重量％の界面活性剤、
ｃ）０．０００１〜１重量％の消泡剤および
ｄ）０．００１〜１重量％の腐食防止剤
並びに全部で１００重量％とする残量の水を含有する除氷剤。
【請求項２】
成分ａ）の量が４７〜５３重量％である、請求項１に記載の除氷剤。
【請求項３】
成分ａ）の量が４８〜５２重量％である、請求項１または２に記載の除氷剤。
【請求項４】
成分ａ）が酢酸カリウムである請求項１〜３のいずれか一つに記載の除氷剤。
【請求項５】
成分ｂ）の量が０．０１〜０．５重量％である請求項１〜４のいずれか一つに記載の除氷剤。
【請求項６】
成分ｂ）がアルキル（ポリ）グリコシドである請求項１〜５のいずれか一つに記載の除氷剤。
【請求項７】
成分ｃ）の量が０．０００２〜０．１重量％である請求項１〜６のいずれか一つに記載の除氷剤。
【請求項８】
成分ｃ）がポリシロキサンである請求項１〜７のいずれか一つに記載の除氷剤。
【請求項９】
成分ｄ）の量が０．０１〜０．７重量％である請求項１〜８のいずれか一つに記載の除氷剤。
【請求項１０】
成分ｃ）がアルカリ金属リン酸塩、−硼酸塩および／または−珪酸塩である請求項１〜９のいずれか一つに記載の除氷剤。
【請求項１１】
請求項１〜１０の１種類以上の除氷剤５〜１００ｇ／ｍ2 を交通域に適用する、交通域の雪および氷を融解する方法。
【発明の詳細な説明】
【技術分野】
【０００１】
本発明は、アルカリ金属酢酸塩、界面活性剤および消泡剤よりなる除氷剤を適用することによって交通域の雪および／または氷を融解する方法並びにその除氷剤に関する。
【背景技術】
【０００２】
道路、自転車道路、歩道、橋、運動場、飛行場等（以下、交通域と言う）の雪および／または氷は交通移動および交通安全を著しく害する。それ故に、かゝる領域に水溶性塩が適用されることは久しい以前から公知であり、その際に氷および雪が融解され（解け）そして相応して低下した凍結点の塩水溶液を形成するかまたは雨の形でまたは雪としてまたは凍結した霧としての凝結物の凍結をアルカリ金属カルボキシレート塩の水溶液によって阻止するかまたは予防する。
【０００３】
除氷剤として塩を使用する場合いは、なかでも以下の要求を満足しなければならない：即ち、その塩は上記の域を構成する物質、例えばＤＩＮ１８５００に従うコンクリートに従来の解凍剤よりも損傷をあまり与えないかまたは損傷を与えず、解氷させるべきである。使用される塩は迅速に且つできるだけ十分に解氷する作用を果たしおよび／または凍結性凝結物の場合には交通域の凍結を阻止するべきである。更に、経済的観点からは解凍剤は非常に良好な解凍能力および長い凍結阻止時間を提供することが必要である。
【０００４】
上記の要求に関しては従来技術においては殊にアルカリ金属−およびアルカリ土類金属塩化物並びに有機酸のアルカリ金属−およびアルカリ金属塩が有利な除氷剤として挙げられている。米国特許第４，８５５，０７１号明細書およびヨーロッパ特許出願公開第０，５７９，０１４号明細書には、決められた方法に従って製造された炭素原子数１〜４のアルカリ金属−および／またはアルカリ土類金属カルボキシレートが除氷剤として開示されており、この場合には本質的に酢酸カルシウム／−マグネシウムまたは酢酸ナトリウムが有利であるとされている。
【０００５】
ヨーロッパ特許出願公開第０，４８３，７３１号明細書には、実質的に水、アルカリ金属−および／またはアルカリ土類金属酢酸塩および特別な腐食防止剤よりなる液状除氷剤が開示されている。
【０００６】
更に米国特許第５，３７６，２９３号明細書にはＣ1 〜Ｃ3 −の炭素鎖長を持つ種々のアルカリ金属−およびアルカリ土類金属カルボキシレートよりなる混合物が開示されている。
【０００７】
アルカリ金属塩酸塩またはアルカリ土類金属塩酸塩をベースとする公知の除氷剤およびアルカリ金属−および／またはアルカリ土類金属カルボキシレートをベースとする公知の除氷剤は除氷剤に対する要求を十分な程度に満足していない。
【０００８】
除氷剤としての塩の作用は、初めに既に記載した通り、溶解したカチオンおよびアニオンおよび単位容積当たりの溶解した粒子の数によって水の凍結点を低下させることに基づいている。しかしながら更に浸透速度および解凍剤の解凍力または凍結阻止時間にとって除氷すべき表面の湿潤の仕方が重要である。これらのファクターは、氷および／または雪を解凍および／または融解する際の解凍−または融解工程を促進させるだけでなく、氷および／または雪を解凍および／または融解する際の解凍剤の量を減少させる。更に、既に上述した解凍剤よりも良好な液状解凍剤は、その液状解凍剤が固体成分を含まないことおよびこれらが０℃以下の温度でも凍結点より上の温度でも貯蔵安定性がある点に特徴があるべきである。
【発明の開示】
【発明が解決しようとする課題】
【０００９】
本発明の課題はアルカリ金属−および／またはアルカリ土類金属塩酸塩並びにアルカリ金属−および／またはアルカリ土類金属カルボキシレートの状態の多数の除氷剤から、凍結点の低下に関して高い効果を示しそして除氷の工程で雪、雨または凝結性きりまたは露の状態の凍結性凝結物のために凍結する過程で、匹敵する解凍剤よりも長期間の凍結阻止時間を提供するものを開発することである。この液状の除氷剤は更に個々の成分の分離に対しても特に安定しているべきである。更に除氷剤は特に生態学的におよび生理学的に問題があるべきでなく、金属および交通域の舗装への腐食作用がないかまたは僅かしかなくそして生物学的に良好な許容性があり並びに良好に取り扱うことができそして貯蔵安定性があるべきである。かゝる除氷剤は中でも、凍結阻止性を長期間保持しそして周辺域の氷および／または雪の解凍を促進することが重要であるあらゆる場合に望まれている。
【課題を解決するための手段】
【００１０】
本発明者は驚くべきことに、アルカリ金属酢酸塩とそれぞれ僅かな量の界面活性剤および消泡剤および適する腐食防止剤との組合せよりなる特定の水溶液、特に酢酸のカリウム塩と少量の適する界面活性剤および消泡剤および腐食防止剤とよりなる特別な水溶液が除氷剤として使用する際に要求される全ての性質を有していることを見出した。
【００１１】
それ故に本発明の対象は、
ａ）４５〜５５重量％のアルカリ金属酢酸塩、
ｂ）０．００１〜１重量％の界面活性剤、
ｃ）０．０００１〜１重量％の消泡剤および
ｄ）０．００１〜１重量％の腐食防止剤
並びに全部で１００重量％とする残量の水
を含有する除氷剤である。
【００１２】
本発明の別の対象は、５〜１００ｇ／ｍ2 の本発明の除氷剤を交通域に適用することによって、交通域の雪および氷を融解する方法である。
【００１３】
除氷剤の適用量は中でも外部温度および存在する氷および／または雪の量に左右され、好ましくは１５〜８０ｇ／ｍ2 （交通域）である。除氷剤の適用は通例の散布装置を用いて実施することができる。
【００１４】
本発明の除氷剤は好ましくはアルカリ金属酢酸塩、特に酢酸カリウムを含有している。成分ａ）の量は好ましくは４７〜５３重量％、特に好ましくは４８〜５２重量％である。      
【００１５】
本発明の除氷剤は好ましくは０．０１〜０．５重量％、特に好ましくは０．０２〜０．２重量％の１種類以上の界面活性剤を含有している。界面活性剤としては好ましくはアルキル（ポリ）グリコシドを使用する。それのアルキル基は好ましくは８〜１６個の炭素原子を有している。
【００１６】
本発明の除氷剤は好ましくは０．０００２〜０．１重量％、特に好ましくは０．０００５〜０．０１重量％の１種類以上の消泡剤を含有している。消泡剤としてはポリシロキサン、特に好ましくはポリジアルキルシロキサン、中でもポリジメチルシロキサンを使用するのが有利である。
【００１７】
本発明の除氷剤は好ましくは０．０１〜０．７重量％の１種類以上の腐食防止剤を含有している。腐食防止剤としてはアルカリ金属リン酸塩、−ホウ酸塩および−珪酸塩を用いるのが好ましい。
【００１８】
［実施例］
凍結阻止時間の測定はそれぞれに記載した大気温度およびコンクリート板温度のもとでＩＳＯ  １１０７８と同様に実施した。しかしながらこの場合には電解研磨したアルミニウム薄板を凍結に使用しないで、２５ｃｍ×２５ｃｍ×５ｃｍの寸法のコンクリート板を１°の傾斜角で使用した。この板上に１，８７５ｇの表中記載の除氷剤を適用した。これは３０ｇ（除氷剤）／ｍ2 の適用量に相当する。凍結阻止時間の目安としてコンクリート板が凍結開始するまでの時間を使用した。
【００１９】
表１：除氷剤の効能（Ｖ＝比較例）
【００２０】
【表１】
2005513240.tif 000002
【００２１】
Ｅ＝０．１重量％のＣ8 〜Ｃ16−アルキルグリコシド、０．００５重量％のポリジメチ    ルシロキサンおよび０．３重量％のＫ3 ＰＯ4 を含有する５０重量％濃度の酢酸カリ    ウム水溶液よりなる本発明の除氷剤。
【００２２】
蟻酸カリウムおよび酢酸カリウムを比較目的のために添加物なしで用いた。
【手続補正書】
【提出日】平成15年9月16日(2003.9.16)
【手続補正１】
【補正対象書類名】特許請求の範囲
【補正対象項目名】全文
【補正方法】変更
【補正の内容】
【特許請求の範囲】
【請求項１】
ａ）４５〜５５重量％のアルカリ金属酢酸塩、
ｂ）０．００１〜１重量％のアルキル（ポリ）グリコシド、
ｃ）０．０００１〜１重量％の消泡剤および
ｄ）０．００１〜１重量％の腐食防止剤
並びに全部で１００重量％とする残量の水を含有する除氷剤。
【請求項２】
成分ａ）の量が４７〜５３重量％である、請求項１に記載の除氷剤。
【請求項３】
成分ａ）の量が４８〜５２重量％である、請求項１または２に記載の除氷剤。
【請求項４】
成分ａ）が酢酸カリウムである請求項１〜３のいずれか一つに記載の除氷剤。
【請求項５】
成分ｂ）の量が０．０１〜０．５重量％である請求項１〜４のいずれか一つに記載の除氷剤。
【請求項６】
成分ｃ）の量が０．０００２〜０．１重量％である請求項１〜５のいずれか一つに記載の除氷剤。
【請求項７】
成分ｃ）がポリシロキサンである請求項１〜６のいずれか一つに記載の除氷剤。
【請求項８】
成分ｄ）の量が０．０１〜０．７重量％である請求項１〜７のいずれか一つに記載の除氷剤。
【請求項９】
成分ｃ）がアルカリ金属リン酸塩、−硼酸塩および／または−珪酸塩である請求項１〜８のいずれか一つに記載の除氷剤。
【請求項１０】
請求項１〜９の１種類以上の除氷剤５〜１００ｇ／ｍ2 を交通域に適用する、交通域の雪および氷を融解する方法。
【国際調査報告】
2005513240.tif 000003
2005513240.tif 000004
2005513240.tif 000005
2005513240.tif 000006
2005513240.tif 000007
2005513240.tif 000008
2005513240.tif 000009
2005513240.tif 000010